【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
サルジミン型マンガン錯体の水溶性顆粒又は粒子、及び高分子溶解抑制剤の調製方法であって、
ａ）ポリマー材料を水と混合し、続いてそれにサルジミン型マンガン錯体を溶解／懸濁させて、相全体にわたって実質的に均一に分布しているサルジミン型マンガン錯体を含む水性ポリマー相を形成すること、
ｂ）同時に、又は続いて水相を分散安定剤の存在下、水非混和性液に分散させて、実質的に安定な分散体を形成すること、及び
ｃ）分散体を共沸して、それぞれ、マトリックス全体にわたって実質的に均一に分散しているサルジミン型マンガン錯体を有するポリマー材料のマトリックスを含む、実質的に乾燥している粒子を形成すること、を含む方法。
【請求項２】
マンガン錯体として、１〜３個のサルジミン基、すなわち非置換であるか又は置換されているサリチルアルデヒドをアミンと縮合させて得られる基を含有する、マンガンで錯体化されている化合物を使用する、請求項１記載の方法。
【請求項３】
式（１）、（２）又は（３）：
【化１】
2004523617.tif 000001
〔式中、
Ａはアニオンであり、
ｍ、ｎ及びｐは、互いに独立して０、１、２又は３であり、
Ｒ4は、水素、又は直鎖状若しくは分枝鎖状Ｃ1〜Ｃ4アルキルであり、
Ｙは、式：−〔Ｃ（Ｒ4）2〕r−（式中、ｒは、１〜８の整数であり、Ｒ4基は、互いに独立して上記と同義である）、−ＣＸ＝ＣＸ−（式中、Ｘは、シアノ、直鎖状若しくは分枝鎖状Ｃ1〜Ｃ8アルキル、又はジ（直鎖状若しくは分枝鎖状Ｃ1〜Ｃ8アルキル）アミノである）、−（ＣＨ2）q−ＮＲ4−（ＣＨ2）q−（式中、Ｒ4は、上記と同義であり、ｑは、１、２、３又は４である）で示される直鎖状又は分枝鎖状アルキレン基、或いは下記式：
【化２】
2004523617.tif 000002
の１，２−シクロヘキシレン基、或いは下記式：
【化３】
2004523617.tif 000003
（式中、Ｒ9は、水素、ＳＯ3Ｈ、ＣＨ2ＯＨ又はＣＨ2ＮＨ2である）の１，２−アリール基であり、
Ｒ、Ｒ1及びＲ1′は、互いに独立して、シアノ、ハロゲン、ＯＲ4若しくはＣＯＯＲ4（ここで、Ｒ4は上記と同義である）、ニトロ、直鎖状若しくは分枝鎖状Ｃ1〜Ｃ8アルキル、部分的にフッ素化若しくは過フッ素化されている直鎖状若しくは分枝鎖状Ｃ1〜Ｃ8アルキル、又はＮＨＲ6、ＮＲ5Ｒ6若しくはＮ+Ｒ5Ｒ6Ｒ7（ここで、Ｒ5、Ｒ6及びＲ7は、同一であるか、又は異なり、それぞれ、水素、又は直鎖状若しくは分枝鎖状Ｃ1〜Ｃ12アルキルであるか、或いはＲ5及びＲ6は、それらが結合している窒素原子と一緒になって、ヘテロ原子を更に含有していてもよい５員、６員又は７員環を形成する）、又は直鎖状若しくは分枝鎖状Ｃ1〜Ｃ8アルキル−Ｒ8（ここで、Ｒ8は、上記で定義された基ＯＲ4、ＣＯＯＲ4若しくはＮＲ5Ｒ6であるか、又はＮＨ2、若しくはＲ5、Ｒ6及びＲ7が上記で定義されたＮ+Ｒ5Ｒ6Ｒ7である）であり、
Ｒ2及びＲ3は、互いに独立して、水素、直鎖状若しくは分枝鎖状Ｃ1〜Ｃ4アルキル、非置換のアリール、或いはシアノ、ハロゲン、ＯＲ4若しくはＣＯＯＲ4（ここで、Ｒ4は、水素、又は直鎖状若しくは分枝鎖状Ｃ1〜Ｃ4アルキルである）、ニトロ、直鎖状若しくは分枝鎖状Ｃ1〜Ｃ8アルキル、ＮＨＲ5若しくはＮＲ5Ｒ6（ここで、Ｒ5及びＲ6は、同一であるか又は異なり、それぞれ、直鎖状若しくは分枝鎖状Ｃ1〜Ｃ12アルキルであるか、或いはＲ5及びＲ6は、それらが結合している窒素原子と一緒になって、ヘテロ原子を更に含有していてもよい５員、６員又は７員環を形成する）、直鎖状若しくは分枝鎖状Ｃ1〜Ｃ8アルキル−Ｒ7（ここで、Ｒ7は、上記で定義されたＯＲ4、ＣＯＯＲ4若しくはＮＲ5Ｒ6基であるか、又はＮＨ2である）、又はＮ+Ｒ5Ｒ6Ｒ7（ここで、Ｒ5、Ｒ6及びＲ7は、上記と同義である）で置換されているアリールである〕
で示される化合物を使用する、請求項２記載の方法。
【請求項４】
顆粒又は粒子が、顆粒又は粒子の総重量に基づき、１〜９０重量％、特に１〜３０重量％の式（１）、（２）又は（３）のサルジミン型マンガン錯体を含む、請求項１〜３のいずれか１項記載の方法。
【請求項５】
高分子溶解抑制剤が、溶解抑制剤が存在しないときよりもマンガン錯体をより緩やかに水に溶解させる化合物である、請求項１〜４のいずれか１項記載の方法。 
【請求項６】
高分子溶解抑制剤が、ポリエチレングリコール、酸化エチレンと酸化プロピレンのコポリマー、ゼラチン、ポリアクリラート、ポリメタクリラート、ポリビニルピロリドン、ビニルピロリドン、酢酸ビニル、ポリビニルイミダゾール、ポリビニルピリジンＮ−オキシド、ビニルピロリドンと長鎖α−オレフィンのコポリマー、ビニルピロリドンとビニルイミダゾールのコポリマー、ポリ（ビニルピロリドン／ジメチルアミノエチルメタクリラート）、ビニルピロリドン／ジメチルアミノプロピルメタクリルアミドのコポリマー、ビニルピロリドン／ジメチルアミノプロピルアクリルアミドのコポリマー、ビニルピロリドンとジメチルアミノエチルメタクリラートの四級化コポリマー、ビニルカプロラクタム／ビニルピロリドン／ジメチルアミノエチルメタクリラートのターポリマー、ビニルピロリドンとメタクリルアミドプロピル−トリメチルアンモニウムクロリドのコポリマー、カプロラクタム／ビニルピロリドン／ジメチルアミノエチルメタクリラートのターポリマー、スチレンとアクリル酸のコポリマー、ポリカルボン酸、ポリアクリルアミド、カルボキシメチルセルロース、ヒドロキシメチルセルロース、ポリビニルアルコール、場合により加水分解されたポリ酢酸ビニル、アクリル酸エチルとメタクリラート及びメタクリル酸のコポリマー、マレイン酸と不飽和炭化水素のコポリマー、並びにエチレン性不飽和水溶性のカチオン性モノマー又はモノマー混合物から形成される前記ポリマーおよび合成ポリマーの混合重合生成物からなる群より選択される化合物である、請求項１〜５のいずれか１項記載の方法。
【請求項７】
高分子溶解抑制剤が、カルボキシメチルセルロース、ポリエチレングリコール、ポリアクリルアミド、ポリビニルアルコール、ポリビニルピロリドン、ゼラチン、加水分解されたポリ酢酸ビニル、ビニルピロリドンと酢酸ビニルの、またポリアクリラートのコポリマー、アクリル酸エチルとメタクリラート及びメタクリル酸のコポリマー、並びにポリメタクリラートからなる群より選択される化合物である、請求項６記載の方法。
【請求項８】
高分子溶解抑制剤が、顆粒又は粒子の総重量に基づき、１０〜９５重量％、好ましくは４０〜９０重量％、特に７０〜９０重量％の量で使用される、請求項１〜７のいずれか１項記載の方法。
【請求項９】
請求項１〜８のいずれか１項記載の方法により調製される顆粒又は粒子。
【請求項１０】
顆粒の総重量に基づき、
ａ）１〜８９重量％、好ましくは１〜３０重量％の水溶性サレン型マンガン錯体と、
ｂ）１０〜９５重量％の高分子溶解抑制剤と、
ｃ）０〜２０重量％の更なる添加剤と、
ｄ）１〜１５重量％の水と、
を含む、請求項１〜８のいずれか１項記載の方法により調製される顆粒又は粒子。
【請求項１１】
配合剤の総重量に基づき
Ｉ）０〜５０重量％の、Ａ）アニオン性界面活性剤及び／又はＢ）非イオン性界面活性剤と、
II）０〜７０重量％のＣ）ビルダー物質と、
III）１〜９９重量％のＤ）過酸化物と、
IV）洗浄、清浄、殺菌及び漂白剤配合物０．５〜２０g/lを処理液に加える場合、サルジミンマンガン錯体の濃度が処理液中で０．５〜５０mg/l、好ましくは１〜３０mg/lになるような量のＥ）請求項１０記載の顆粒又は粒子と、
を含む、洗浄、清浄、殺菌及び漂白剤配合物。
【請求項１２】
洗浄剤の総重量に基づき
Ｉ）５〜９０重量％、好ましくは５〜７０重量％の、Ａ）アニオン性界面活性剤及び／又はＢ）非イオン性界面活性剤と、
II）５〜７０重量％、好ましくは５〜５０重量％、特に５〜４０重量％のＣ）ビルダー物質と、
III）０．１〜３０重量％、好ましくは１〜１２重量％のＤ）過酸化物と、
IV）洗浄剤配合物が、０．００５〜２重量％、好ましくは０．０２〜１重量％、特に０．１〜０．５重量％の式（１）、（２）又は（３）の純粋なマンガン錯体を含むような量のＥ）請求項１０記載の顆粒又は粒子と、
を含む洗浄剤配合物。